(57)【要約】【課題】包装に透明なラッピングフィルムを使用した場合のラッピングの安定性が非常に良好でかつ持ち運びのしやすさを向上させた、ワイン及びブドウ生産品を主体とした冠婚葬祭用ワイン盛り篭用の収納台を提供することを目的とする。【解決手段】盛り篭用のスタンド類に取り付けられるお供物用の収納台であって、その適所にワインボトルの側面を収納可能とした複数の凹所を形成するとともに、該凹所の端部にワインボトルの底にはめ込まれる係合突起を配置したことを特徴とする冠婚葬祭用ワイン盛り篭用収納台。【選択図】図２
2009261552.tif 000002
【特許請求の範囲】
【請求項１】
盛り篭用のスタンド類に取り付けられるお供物用の収納台であって、その適所にワインボトルの側面を収納可能とした複数の凹所を形成するとともに、該凹所の端部にワインボトルの底にはめ込まれる係合突起を配置したことを特徴とする冠婚葬祭用ワイン盛り篭用収納台。
【請求項２】
前記ワインボトルの底にはめ込まれる複数の係合突起が、それぞれワインボトルの底部から型取りした１／２の断面形状に形成されていることを特徴とする請求項１記載の冠婚葬祭用ワイン盛り篭用収納台。
【請求項３】
前記ワインボトルの底にはめ込まれる複数の係合突起が、ワインボトル底部の最奥面が当たる部分の表面に、滑り止め手段を形成されていることを特徴とする請求項１または２記載の冠婚葬祭用ワイン盛り篭用収納台。
【請求項４】
前記滑り止め手段が、係合突起表面に付着させた細砂層、もしくはシリコン等ゴム等の滑り止め層から選ばれてなることを特徴とする請求項１ないし３のいずれかに記載の冠婚葬祭用ワイン盛り篭用収納台。
【請求項５】
前記ワインボトルの底にはめ込まれる複数の係合突起が、収納台と一体成形により、または収納台と別に作成したものを収納台の適所に取り付けることにより形成されていることを特徴とする請求項１ないし４のいずれかに記載の冠婚葬祭用ワイン盛り篭用収納台。
【発明の詳細な説明】
【技術分野】
【０００１】
この発明は、従来の冠婚葬祭用お供物である花輪・生花スタンド・果物篭・缶詰スタンド・タオルフラワースタンド等に代わるお供物として、地場産業品であるワイン及びブドウを主原料とする生産品に着目し、葬儀時のお供物用または慶事用として簡単に盛り篭にセットできるようにした冠婚葬祭用ワイン盛り篭用収納台に関する。
【背景技術】
【０００２】
従来、この種の飲料をお供物としてセットした冠婚葬祭用盛り篭としては、特開２０００−１４５３１号公報（特許文献１参照）の受け皿にお供物をセットするようにしたものや、実用新案登録第３１３７９６９号公報（特許文献２参照）のお供物を収納する枠体を用いたもの、特開平５−２７０５６８号公報（特許文献３参照）の枠体の中央に高級酒をケースごと配置し、その周囲にワインや缶ビールを配置したもの等が知られている。
【特許文献１】特開２０００−１４５３１号公報
【特許文献２】実用新案登録第３１３７９６９号公報
【特許文献３】特開平５−２７０５６８号公報
【発明の開示】
【発明が解決しようとする課題】
【０００３】
しかしながら前記いずれの先行技術においても、ワインボトルが重いためにずれやすく、確実に受け皿の所定位置にセットすることが難しいという問題があった。そのために各種の結束手段を用いることが考えられるが、手間がかかる上、見映えも悪いという重大な問題点が残り、実用に耐えるものはなかなか存在しないのが現状である。
例えば、既製品の盛り篭用のスタンドをこの発明において使用する収納台の支持手段として利用しようとすると、展示角度は０度から９０度の角度で展示されるために、落下防止・ズレの防止・展示の際の美的バランス・使い回しの利便性等を考慮する必要があり、前記いずれの先行技術もこのような課題を解消することは難しかったのである。
【０００４】
この発明においては、ワインのボトルの形状・材質・重量を念頭に置き、落下による破損・汚損、さらに破損時における人的傷害等のあってはならない不慮の事故を想定し、かつワインボトルの底の形状に着目した結果、収納台と同一素材または複数の素材を用いワインボトルの底の形状に合致する安定手段を装着することとした。
すなわちこの発明は、包装に透明なラッピングフィルムを使用した場合のラッピングの安定性が非常に良好でかつ持ち運びのしやすさを向上させた、ワイン及びブドウ生産品を主体とした冠婚葬祭用ワイン盛り篭用の収納台を提供することを目的とするものである。
【課題を解決するための手段】
【０００５】
この発明の冠婚葬祭用ワイン盛り篭用収納台は、盛り篭用のスタンド類に取り付けられるお供物用の収納台であって、その適所にワインボトルの側面を収納可能とした複数の凹所を形成するとともに、該凹所の端部にワインボトルの底にはめ込まれる係合突起を配置したことを特徴とするものである。
【０００６】
この発明の冠婚葬祭用ワイン盛り篭用収納台は、前記ワインボトルの底にはめ込まれる複数の係合突起が、それぞれワインボトルの底部から型取りした１／２の断面形状に形成されていることをも特徴とするものである。
【０００７】
この発明の冠婚葬祭用ワイン盛り篭用収納台は、前記ワインボトルの底にはめ込まれる複数の係合突起が、ワインボトル底部の最奥面が当たる部分の表面に、滑り止め手段を形成されていることをも特徴とするものである。
【０００８】
この発明の冠婚葬祭用ワイン盛り篭用収納台は、前記滑り止め手段が、係合突起表面に付着させた細砂層、もしくはシリコン等ゴム等の滑り止め層から選ばれてなることをも特徴とするものである。
【０００９】
この発明の冠婚葬祭用ワイン盛り篭用収納台は、前記ワインボトルの底にはめ込まれる複数の係合突起が、収納台と一体成形により、または収納台と別に作成したものを収納台の適所に取り付けることにより形成されていることをも特徴とするものである。
【００１０】
この発明の冠婚葬祭用ワイン盛り篭用収納台は、販売を促進しようとする地場産品としてのワイン類を冠婚葬祭用として好適に使用することができる。例えば山梨県の地場産業品であるワインや果汁１００％のブドウ果汁（ブドウジュース）が好適に使用できる。
この発明の冠婚葬祭用ワイン盛り篭用収納台は、特別に拵えた盛り篭用台座のみならず、既製品の盛り篭用台座に設置することができ、盛り篭用台座に収納台を設置した後は収納台の回りに造花や生花を飾り付け、個人名または各種団体・法人名の記載された贈答者の名札を上部に設置することで、葬祭用お供物または慶事用贈答飾りとして利用することができる。
【発明の効果】
【００１１】
この発明の冠婚葬祭用ワイン盛り篭用収納台は以上のように、収納台のワインボトル装着部分底面部分に落下・ズレ防止の係合突起状安定手段を装着し、その部分にワインボトルの底部をはめ込んだ後、収納台を含めた全体にラッピングフィルムを被せ、該ラッピングフィルムを専用の温熱ヒーターで収縮させることにより、さらにワインボトルを収納台に安定して固定させることが可能となった。
【００１２】
また従来の各種の梱包用資材を用いて作成した収納台に比べ、軽量化を図ることができる上、耐久性に著しく優れたものとなり、かつ透明なラッピングフィルムをラッピングに使用して該フィルムを収縮させることでワインボトルを収納台に安定して固定することができ、展示の際の安定性や運搬の利便性、ワインボトルの落下による事故防止等の顕著な効果を奏するものとすることができる。
【発明を実施するための最良の形態】
【００１３】
以下この発明の冠婚葬祭用ワイン盛り篭用収納台の実施の形態を、図面に基いて詳細に説明する。
図１はこの発明の冠婚葬祭用ワイン盛り篭用収納台の１実施例を示す側面図、図２はその斜視図、図３は収納台に設けたワインボトルの側面を収納可能とした凹所および凹所に内蔵した係合突起の正面図、図４は係合突起の要部を示す概略断面図、図５（ａ），（ｂ），（ｃ）はこの発明の冠婚葬祭用ワイン盛り篭用収納台の種々の例を示すそれぞれ平面図、図６は前記収納台を搭載する台座の正面図、図７は台座を搭載するテーブルの斜視図、図８はテーブルを覆う側面カバー、図９はこの発明の冠婚葬祭用ワイン盛り篭用収納台を用いた冠婚葬祭用ワイン盛り篭の正面図、図１０は凹所の別の例を示す正面図である。
【００１４】
図１ないし図４において、１１は盛り篭用のスタンド類に取り付けられるお供物用の収納台である。この収納台１１は、円盤状の台板部１２から下向きに筒状の側壁１３が垂下しており、その下端には外向きのフランジ１４が形成されている。
前記台板部１２には、その適所に複数のワインボトル２１を収納保持する凹所１５が配置されている。この凹所１５は、図ではワインボトル２１の底面部分からその側面の中ほどまでが収納できるように傾斜して形成されているが、ワインボトル２１断面の一部から中ほどまで収納できるようにしてもよい。
【００１５】
また、前記台板部１２の適所に形成した複数の凹所１５の下端には、ワインボトル２１の底の窪みをはめ込むための係合突起１６が突設されている。なお、前記ワインボトル２１の底の窪みはワインのオリを沈殿させるためのものであり、逆に底の平らなワインボトルはオリがほとんど出ないようにフィルターをかけて作られたワイン用である。
すなわち、この平らなワインボトルはオリが生じるまで保存しないで、早めに飲んだほうが良いワインであって白やロゼワインに多くみられる。したがって、前記台板部１２の適所に形成した複数の凹所１５には係合突起１６が少なくとも１つ以上突設されているが、底の平らなワインボトル用に係合突起１６の形成されていない凹所１５が存在してもよいことはもちろんである。
【００１６】
前記した冠婚葬祭用ワイン盛り篭用の収納台１１は、前記ワインボトル２１の底にはめ込まれる係合突起１６として、それぞれワインボトル２１の底部の少なくとも１／２の断面形状から型取りしたものが形成されていることが望ましい。
このように、ワインボトル２１の底部の少なくとも１／２の断面形状に対応することにより、ワインボトル２１の底部をはめ込みやすく、また簡単にワインボトル２１が抜け落ちないよう構成することができる。
【００１７】
また前記収納台１１においては、前記ワインボトル２１の底にはめ込まれる係合突起１６が、ワインボトル２１の底部の最奥面が当たる部分の表面に、滑り止め手段１７を形成されている。
前記滑り止め手段１７としては、係合突起１６の表面に付着させた細砂層、もしくはシリコン等ゴム等の滑り止め層とすることができる。
このように、係合突起１６の表面に滑り止め手段１７を設けることにより、簡単にワインボトル２１が抜け落ちてしまうことがない。
【００１８】
この冠婚葬祭用ワイン盛り篭用の収納台１１は、前記ワインボトル２１の底にはめ込まれる複数の係合突起１６として、前記収納台１１と一体成形することにより形成することができる。このような一体成形としては、ガラス繊維補強シート等に熱硬化性樹脂を含浸させて成形型を用いて硬化させたＦＲＰとすることができる。
また、前記収納台１１と別に成形した係合突起１６用のパーツを収納台１１の適所に取り付けて形成することができる。
【００１９】
図５（ａ），（ｂ），（ｃ）はこの発明の冠婚葬祭用ワイン盛り篭用収納台の種々の例を示すものであり、（ａ）は前記図１ないし図４の実施例と同様の係合突起１６を備えた７つの凹所１５を１つを中央にしてその上部に扇形に配置し、また係合突起１６を持たない２つの凹所１５を下部に並べて配置した例を示す。（ｂ）は係合突起１６を備えた５つの凹所１５を１つを中央にしてその上部に扇形に配置し、また係合突起１６を持たない２つの凹所１５を下部に並べて配置した例を示す。（ｃ）は収納台１１を扇形に輪郭とした上、係合突起１６を備えた５つの凹所１５を扇形に配置し、また係合突起１６を持たない２つの凹所１５を下部に並べて配置した例を示す。
【００２０】
図６ないし図８は前記収納台を搭載する各パーツを説明するためのもので、図６の台座３１は基台３２と、基台３２の上部に支持脚３３を介して収納台１１を搭載するための保持フレーム３４とで構成されている。
図７は前記台座３１を搭載するテーブル３５を示し、テーブル３５上面の周囲には台座３１の脱落を防止するための立上り部３６が形成され、また底部の四隅にはテーブル３５を移動させるためのキャスタ３７が取り付けられている。
そして、図８はテーブル３５を覆う側面カバー３８を示し、テーブル３５に被せてテーブル３５を飾るためのものである。
【００２１】
そして、側面カバー３８を被せたテーブル３５上に台座３１を搭載し、台座３１の保持フレーム３４に前記収納台１１を取り付けて冠婚葬祭用ワイン盛り篭として使用する。
すなわち、収納台１１の凹所１５にワインボトル２１を入れてその底部を凹所１５内の係合突起１６にはめ込む。次いで収納台１１を含めた全体にラッピングフィルムを被せ、該ラッピングフィルムを専用の温熱ヒーターで収縮させることによってワインボトル２１を収納台１１に強固に固定することができる。
【００２２】
次に、贈答用の盛り篭として使用する場合や、弔事のお供物として使用する場合、例えば収納台１１の円周部分に飾りとして造花やブドウの房の形を模造したものを飾り付け、個人名または各種団体・法人名等の記載された贈答者の名札を上部に設置することにより好適に利用することができる。
また慶事贈答用には、例えば収納台１１の円周部分に飾りとして祝い花用の造花若しくは生花及びブドウの房の形を模造した飾りを施し、さらに弔事用と差別化を図るために模造ブドウの粒の中にＬＳＤ電球を入れて、これをイルミネーションとして点滅させることで華やかさを演出して慶事に相応しい展示を行うようにすることができる。
名札についても上記内容を踏襲するものと、顧客の要求によりカードタイプの名札を利用するものとを使い分けることができる。
さらに、卓上タイプの贈答用の盛り篭として使用する場合には、前記図５（ｃ）に示す扇形の収納台１１にワインボトル２１を収納し、下部にオアシスベース（フレーム状の花台）を設置した上、これに生花をアレンジして販売を行なえばよい。
【００２３】
この発明において使用する収納台１１としては、図５（ａ），（ｂ），（ｃ）のような各種のタイプのものとすることができるが、例えば販売価格に応じてワインの本数を調整できるよう数種類の収納台１１を用意し、消費者のニーズに合った価格での盛り篭を提供することができるようにすることが望ましい。
【００２４】
図１０は、ワインボトル２１の底面の形状が窪みのない平面状のものに対して使用するものを示し、ワインボトル２１を設置する部分を深めに作成した上、ワインボトル２１の両側面に抜止め用の突起４１を施してワインボトル２１を収納した際の安定性を保つ工夫を施したものである。
【産業上の利用可能性】
【００２５】
近年、常用のアルコール飲料としてワインを愛好する消費者が増加してはいるものの、一般消費者にとってワインは特別な飲み物という意識があるのが現状であり、自分で買って飲むものものというよりは贈答品として、もしくは戴き物だから飲んでみようという考え方のあるのも否めないところである。
さらにワイン製造業においては安価な輸入ワインの影響を少なからず受けており、国内消費は頭打ち状態になりつつある中で、さらなる品質の向上を図ることで輸入ワインとの差別化と販路の拡大に腐心している。
そのような状況の中で開発された、この発明の冠婚葬祭用ワイン盛り篭用収納台によるワイン消費の底上げは、各地方における地場産業であるワイン製造業はもちろんのこと、ワインの原料であるブドウ栽培農家にとっても大きなメリットを提供できるものであり、広義には酒税収益の規模の拡大を図ることによって国税の増収にも貢献できるものと考えられる。
【図面の簡単な説明】
【００２６】
【図１】この発明の冠婚葬祭用ワイン盛り篭用収納台の１実施例を示す側面図である。
【図２】その斜視図である。
【図３】収納台に設けたワインボトルの側面を収納可能とした凹所および凹所に内蔵した係合突起の正面図である。
【図４】係合突起の要部を示す概略断面図である。
【図５】（ａ），（ｂ），（ｃ）はこの発明の冠婚葬祭用ワイン盛り篭用収納台の種々の例を示すそれぞれ平面図である。
【図６】前記収納台を搭載する台座の正面図である。
【図７】台座を搭載するテーブルの斜視図である。
【図８】テーブルを覆う側面カバーである。
【図９】この発明の冠婚葬祭用ワイン盛り篭用収納台を用いた冠婚葬祭用ワイン盛り篭の正面図である。
【図１０】凹所の別の例を示す正面図である。
【符号の説明】
【００２７】
１１  収納台
１２  台板部
１３  筒状の側壁
１４  フランジ
１５  凹所
１６  係合突起
１７  滑り止め手段
２１  ワインボトル
３１  台座
３２  基台
３３  支持脚
３４  保持フレーム
３５  テーブル
３６  立上り部
３７  キャスタ
３８  側面カバー
４１  抜止め用の突起
【図１】
2009261552.tif 000003
【図２】
2009261552.tif 000004
【図３】
2009261552.tif 000005
【図４】
2009261552.tif 000006
【図５】
2009261552.tif 000007
【図６】
2009261552.tif 000008
【図７】
2009261552.tif 000009
【図８】
2009261552.tif 000010
【図９】
2009261552.tif 000011
【図１０】
2009261552.tif 000012